(57)【要約】【課題】  造形的センスを要することなく、簡単な作業により加飾対象物品に貼り付けて立体的象嵌模様を形成できるようにした。【解決手段】  透明ないし半透明の粘着フィルムないしシートよりなる粘着紙４と、その粘着面４ａに表面側が貼り付けられて、外方より目視可能な、望ましくは所定の模様パターンの集合体を形成した、複数の宝飾用粒子素材１と、粘着紙４の背面において、前記各粒子素材１をサンドイッチした状態で粘着紙４に貼着されたパターン保護用の剥離紙５とを備えたものである。【選択図】      図３
2005119085.tif 000002
【特許請求の範囲】
【請求項１】
透明ないし半透明の粘着フィルムないしシートよりなる粘着紙と、その粘着面に表面側が貼り付けられた複数の宝飾用粒子素材と、粘着紙の背面において前記各粒子素材をサンドイッチした状態で粘着紙に貼着されたパターン保護用の剥離紙とを備えたことを特徴とする手芸用宝飾ユニット。
【請求項２】
前記宝飾用粒子素材は、複数の宝飾用粒子素材が外方より目視可能な所定の模様パターンの集合体を形成するようにして設けられていることを特徴とする請求項１に記載の手芸用宝飾ユニット。
【請求項３】
前記各粒子素材は、天然または人工の無色ないし着色の透明粒子であって、その裏面を平坦に形成するとともに、裏面全体に不透明座体を設けたものであることを特徴とする請求項１又は２記載の手芸用宝飾ユニット。
【請求項４】
請求項１乃至３のいずれか１項記載の手芸用宝飾ユニットを用いた加飾用加工方法であって、
前記ユニットより剥離紙をはがして各粒子素材を前記粘着紙の裏面に粘着保持した状態で、粘着紙上に露出している各粒子素材の裏面にそれぞれ接着剤を塗布し、塗布作業後粘着紙を表面として加飾対象物品表面に仮固定し、接着剤硬化後粘着紙をはがすことで、前記粒子素材をその模様パターンに保持した状態で加飾対象物品表面に貼着固定するものであることを特徴とする手芸用宝飾物品の加工方法。
【発明の詳細な説明】
【技術分野】
【０００１】
本発明は装飾対象物品に貼り付けることで、立体的宝飾模様形状を簡単に得られるようにした手芸用宝飾ユニット及びその加工方法に関する。
【背景技術】
【０００２】
最近では携帯電話や、ハンドバッグ、鞄、ノートパソコンなど既成の携帯用物品に装飾を施し、他の類似する携帯用物品との差別化を図ることが流行している。
加飾手段としては一般的には絵付けなどの塗装が普及しているが、他のユニークな加飾手段の一つとして、宝飾用の粒子素材を加飾対象物品に貼り付けることで、当該対象物品表面に立体的な象嵌模様を形成する方法がある。
【０００３】
粒子素材は、ダイヤモンドカット形状をなす天然または人工の透明な粒子であり、手工芸用品店やドイトショップの手工芸品コーナ、装飾用素材販売コーナなどで販売され、その販売形式としては、販売店側では様々な色・大きさの複数の粒子素材をその色や大きさ毎に区分けして販売している。
【０００４】
ユーザ側ではこれらのうちから適宜選択して必要個数を入手し、ボンドを介して対象物品に貼り付ける。この貼り付け形状は、ユーザの好みに応じて例えばハート形や花柄、動物などを模した模様形状があり、いずれにしても素材の持つ輝きなどにより、対象物品表面は華やかに加飾されるものとなる。
【０００５】
また、単に粒子素材を販売するだけでなく、加工が面倒である人に備えて販売店側でユーザの携帯物品に指示された模様を加工を施す場合もある。
【発明の開示】
【発明が解決しようとする課題】
【０００６】
しかしながら、これらの加工には造形的なセンスを必要とする上に、一つ一つの粒子素材はきわめて小さなものであるため、ユーザ自身が粒子素材を目的形状に合わせて配列したり、接着する作業はきわめて面倒で加工が難しく、かつ個々の粒子素材は小さいため、加工中に紛失しやすかった。
【０００７】
また販売店側においても、個数を調べてから販売価格を算出する必要があるため、売り方としては面倒なものとなっており、さらには販売店側で加工を施す場合でも同じく加工が面倒で作業に熟練を要するため、工賃も高いものとならざるを得なかった。
【０００８】
従って、この種の飾りは従来では特殊化された装飾物として一部の人々しか持つことができず、広く一般に普及するまでには至っていない。
【０００９】
本発明は以上の課題を解決するものであり、造形的センスを要することなく、簡単な作業により加飾対象物品に貼り付けて立体的象嵌模様を形成できるようにした手芸用宝飾ユニット及びその加工方法を提供するものである。
【課題を解決するための手段】
【００１０】
前記目的を達成するため本発明の宝飾ユニット６は、透明ないし半透明の粘着フィルムないしシートよりなる粘着紙４と、その粘着面４ａに表面側が貼り付けられて、外方より目視可能な、望ましくは所定の模様パターンの集合体を形成した、複数の宝飾用粒子素材１と、粘着紙４の背面において、前記各粒子素材１をサンドイッチした状態で粘着紙４に貼着されたパターン保護用の剥離紙５とを備えたことを特徴とする。
【００１１】
また、前記各粒子素材１は、天然または人工の無色ないし着色の透明粒子であって、その裏面を平坦に形成するとともに、裏面全体に不透明座体３を層状に設けたものであることが望ましい。
座体３は、粒子本体２に進入する光の反射体となって、粒子素材１の輝きを増大させる。また、座体３は、裏面の接着剤９などが粒子素材１の表面側から見えないようにするための隠蔽層としての機能を有する。さらに、座体３は、粒子素材１の裏面に接着剤９が容易に接着できるようにしている。
【００１２】
さらに本発明の加工方法は、前記宝飾ユニット６より剥離紙５をはがして各粒子素材１の模様パターンを保持した状態で、要すれば粘着紙４の裏面を作業位置に設置し、粘着紙４上に露出している各粒子素材１の裏面にそれぞれ接着剤９を塗布し、塗布作業後粘着紙４を表面として加飾対象物品表面に仮固定し、接着剤硬化後粘着紙４をはがすことで、前記粒子素材１をその模様パターンに保持した状態で加飾対象物品１０表面に貼着固定するものである。
【発明の効果】
【００１３】
従って本発明においては、予め各種模様パターンに集合した宝飾ユニット６として販売されるため、その中からユーザのセンスに応じて気に入ったものを選択すればよい利点があり、また販売店側としても宝飾粒子素子の個数売りが回避できるため、販売時の面倒がない。
【００１４】
またその加工にあたっては、模様パターンが固定されたまま接着剤９を塗布した後粘着紙４を加飾対象物品１０表面に貼り付け、経時後粘着紙をはがせばよいため、加工が簡単で加工中の粒子素材１の脱落や紛失も未然に防止できる。
【発明を実施するための最良の形態】
【００１５】
以下本発明の好ましい実施の形態につき添付図面を参照して詳細に説明する。
図１は本発明が適用される粒子素材を示すものである。図における粒子素子１は透明ないし各色に着色された着色透明の天然または人工の宝石素材をダイヤモンドカット形状などの多角形状に成形加工した裏面平坦な断面台形状の粒子本体２と、粒子本体２の裏面にコーティングされた反射体となる座体３からなるもので、この粒子素材１の大きさは実際には直径２〜６mm程度の各種大きさの粒子となっている。
座体３はアルミ、銀などの薄板であり、本体２に入光された光を効率よく反射させて輝きをもたらす機能及び、後述する接着剤に対する接着台座としての付着をもたらすためのものである。
【００１６】
各粒子素子１は所定の模様パターンで集合配列され、図２、及び図３（ａ）に示すように、透明ないし半透明の弱粘着フィルムないしシートよりなる粘着紙４の粘着面４ａに表面側が固定され、その裏面に台紙兼用の剥離紙５でサンドイッチされ、宝飾ユニット６として完成する。そして、この宝飾ユニット６を透明ビニール袋などに入れて個別に店頭販売することができる。
【００１７】
一例として、図２（ａ）は各色及び各大きさの粒子素子１をハート形模様と花柄模様に集合した状態を示し、（ｂ）は花柄と虹などの模様に集合した状態を示し、（ｃ）は各種花柄模様を散らした状態を示すものである。
【００１８】
なお、以上のパターンの模様だけでなくその他のパターン模様や加飾対象物品に応じた大きさとのものを各種取りそろえて店頭販売することにより、ユーザはこれら各パターン、大きさの中から自分の好みに応じたものを選択できるようになっている。
また、ユニット６の大きさが加飾対象物品に比べて大きすぎる場合、あるいは各パターン毎に加飾対象物品に貼り付けたい場合には、鋏になどによりパターン毎に切り離して加工することができる。
【００１９】
次に以上の宝飾ユニット６を用いて加飾対象物品に貼り付ける場合の作業手順を図３を用いて説明する。
まず（ａ）に示す積層状態から、（ｂ）に示すように剥離紙５を引き剥がす。この状態においては、各粒子素子１は粘着紙４の粘着力により所定のパターン模様に保持されており、以後の作業においてもその集合形状に保持されたままとなる。
次に（ｃ）に示すように粘着紙４の表面を設置面として適宜水平な作業台７上におき、爪楊枝などの接着媒体８を用いて、各粒子素子１の裏面に接着剤９を滴下する。
接着剤９としては、比較的流動性が高く、遅乾性であって、硬化後は高い接着性を示す接着剤が望ましい。また、このため前記宝飾ユニット６とともに接着剤をセット販売することもできる。
【００２０】
その後は、（ｄ）に示すように粘着紙４を裏返し、各粒子素子１の裏面を加飾対象物品１０の表面に設置し、粘着紙４を貼着すれば、各粒子素子１は加飾対象物品１０の表面に粘着紙４を介して仮固定される。なお、加飾対象物品１０が曲面形状であったり、粘着紙４のみでは仮固定しにくい素材である場合には、補助用として接着テープを併用して仮固定することができる。
【００２１】
経時後に接着剤９が完全硬化したならば、粘着紙４を表面から引き剥がせば、接着剤９の接着力との差によって粘着紙４のみが引き剥がされ、（ｅ）に示すように、粒子素子１のみが加飾対象物品１０の表面に強固に固定されたまま残置され、加工が終了する。
【００２２】
図４は一例として、加飾対象物品１０が携帯電話である場合の適用例を示すもので、図示例では図２（ａ）に示されるハートと花柄が転写されているほか、適宜な花模様を表面の各部に配置している場合を示し、オリジナルの電話に比べて視覚的には携帯電話表面に輝きを持つハートや花柄の模様が立体的に象嵌され、豪華な外観となる。
【００２３】
また、実施の形態では剥離紙５を剥がした後、粒子素子１の裏面に接着剤９をつけるようにしたが、予め粒子素子１の裏面に接着を兼ねた強粘着剤を塗布しておけば、剥離紙４を剥がした後直ちに加飾対象物品１０に貼り付けることができ、さらに作業が簡単となる。
【産業上の利用可能性】
【００２４】
なお、加飾対象物品１０としては以上の携帯電話だけでなく、ハンドバッグ、鞄、ノートパソコンなど既成の携帯用物品あるいは、固定式の家具や他の既成の物品に貼り付けるようにしてもよいことは勿論である。
【図面の簡単な説明】
【００２５】
【図１】本発明の宝飾ユニットに適用される粒子素材の平面図、断面図及び底面図である。
【図２】（ａ）〜（ｃ）は同粒子素材を適宜集合させた宝飾ユニットのパターン模様例を示す平面図である。
【図３】（ａ）は図２（ａ）のＡ−Ａ線における断面図、（ｂ）〜（ｅ）は同断面における加工手順を示す断面図である。
【図４】本発明方法を携帯電話に適合させた場合の正面図である。
【符号の説明】
【００２６】
１  粒子素材
２  粒子本体
３  座体
４  粘着紙
４ａ  粘着面
５  剥離紙
６  宝飾ユニット
９  接着剤
１０  加飾対象物品
【図１】
2005119085.tif 000003
【図２】
2005119085.tif 000004
【図３】
2005119085.tif 000005
【図４】
2005119085.tif 000006